(57)【特許請求の範囲】
【請求項１】
弾性を有する材料からなり、物品を収納すると共に開口した収納空間を形成するケースと、前記物品が配置される板状の取付基板とを備え、前記ケース側に形成された係合突起と、前記取付基板側に形成され、前記係合突起を係合させる被係合部とからなる取付構造により、前記取付基板によって前記収納空間の開口が閉じられた状態となるように、前記ケースが前記取付基板に固定される収納ユニットであって、
前記ケースは、
前記収納空間を挟んで対向し、かつ前記取付基板への固定時に前記取付基板に当接する開口縁の一部を形成する対向部位を有し、
前記取付構造は、
前記対向部位を収納空間に向けて弾性変形させると、前記係合突起と前記被係合部との係合が解除される構造を有し、
前記ケースを前記取付基板に固定した時に、前記収納空間外で前記対向部位と対向する位置に配置され、かつ前記対向部位を遮蔽可能な形状に形成された保護部を備えることを特徴とする収納ユニット。
【請求項２】
前記保護部は、
前記ケース側に一体に設けられていることを特徴とする請求項１に記載の収納ユニット。
【請求項３】
前記保護部は、
前記ケースが前記取付基板に固定された際に、前記取付基板と当接する当接部位から突出する突起を備え、
前記取付基板には、
前記ケースの前記取付基板への固定時に前記突起を挿嵌可能な挿嵌孔が穿設されていることを特徴とする請求項２に記載の収納ユニット。
【請求項４】
前記保護部は、
前記取付基板側に設けられていることを特徴とする請求項１に記載の収納ユニット。
【請求項５】
前記収納空間に収納される物品は、
ＧＰＳ受信アンテナ、ＶＩＣＳ受信アンテナ、ＥＴＣ受信アンテナ、車載電話アンテナのうち、少なくとも一つであることを特徴とする請求項１ないし請求項４のいずれかに記載の収納ユニット。
【請求項６】
前記取付基板は、
金属材料により形成されていることを特徴とする請求項５に記載の収納ユニット。
【発明の詳細な説明】
【技術分野】
【０００１】
本発明は、物品を収納するケースと、ケースを固定する取付基板とからなる収納ユニットに関する。
【背景技術】
【０００２】
従来より、ＧＰＳ受信アンテナ、ＶＩＣＳ受信アンテナ、ＥＴＣアンテナを、インストルメントパネルに取り付けるための固定ユニットが知られている。
この種の固定ユニットの中には、図１２（Ｂ）に示すように、ＧＰＳアンテナ等の各種アンテナを収納するための収納空間を有したケース１０１、及びケース１０１内に収納された各種アンテナのアースを取り、ケース１０１を固定する取付基板１０２を有した収納ユニット１００と、収納ユニット１００を板状に形成された部位に固定した上で、インストルメントパネルに予め設けられた取付ボスに固定されるブラケット１０３とからなるものがある（例えば、特許文献１参照）。以下では、特許文献１に記載の固定ユニットを従来ユニット１１０と称す。
【０００３】
ここで、図１３は、ケース１０１が取付基板１０２に固定された状態でのケース１０１と取付基板１０２との断面を拡大した拡大図である。
ケース１０１は、略矩形形状に形成された天板１０４の各辺から同一方向に４つの壁部１０５が連接されたことで収納空間を形成する本体部１０６と、４つの壁部１０５のうち、互いに平行な一対の壁部それぞれの一部の部位から突設された支持部１０７と、各支持部１０７の先端部分から外側（即ち、収納空間とは反対側）に向けて突出した係合突起１０８とを備え、弾性を有した材料（例えば、プラスチック材料等）により一体に形成されている。なお、ケース１０１では、支持部１０７と係合突起１０８とにより、いわゆるスナップフィットが構成されている。また、以下では、４つの壁部１０５のうち、互いに平行な一対の壁部を対向部位１０１Ａ，Ｂ（図１２（Ｂ）参照）と称す。
【０００４】
また、取付基板１０２は、金属製の板状に形成された部材であり、その取付基板１０２には、ケース１０１の固定時にスナップフィットを通過可能な孔（以下、被係合孔とする）が穿設されている。
【０００５】
そして、ケース１０１を取付基板１０２に固定する場合、本体部１０６の外側から収納空間へと向かう方向（以下、内向方向とする）の力をケース１０１（より正確には、スナップフィット）に加え、スナップフィットを弾性変形させた上で被係合孔を通過させ、スナップフィットが被係合孔を通過した後、ケース１０１に加えられていた内向方向の力を解除する。これにより、弾性変形していたスナップフィットが元の形状に戻り、被係合孔の周縁に係合突起１０８が当接し、ケース１０１は取付基板１０２に係止（固定）される。なお、被係合孔の周縁において、係合突起１０８が当接する一部の部位を被係合縁と称す。
【０００６】
さらに、取付基板１０２に固定されたケース１０１は、図１２（Ａ）に示すように、ブラケット１０３に設けられたガイド１０３Ａ（図１２（Ｂ）参照）に、被係合孔に挿嵌されることで取付基板１０２から突き出た係合突起１０８を嵌め込み、ケース１０１をガイド１０３Ａに沿ってスライドさせることによりブラケット１０３に固定される。
【０００７】
このようにして、ブラケット１０３に固定された収納ユニット１００は、取付ボスにネジ等により締結される。
【特許文献１】特開２００４−２７６７７０号公報
【発明の開示】
【発明が解決しようとする課題】
【０００８】
ところで、上述したような従来ユニット１１０や収納ユニット１００においては、ブラケット１０３や、取付基板１０２が板状に形成されているため、作業者が把持できる可能性のある部分は、ブラケット１０３や取付基板１０２から突出して固定されたケース１０１のみである。このため、従来ユニット１１０では、収納ユニット１００をブラケット１０３に固定する場合や、従来ユニット１１０をインストルメントパネルの取付ボスに固定する場合、ケース１０１の対向部位１０１Ａ，Ｂに指をかけて持たれること（例えば、対向部位１０１Ａ，Ｂ間を挟むように持つ方法）が多い。
【０００９】
このような持ち方をされたケース１０１には、内向方向の力が加わり、スナップフィットが弾性変形する。すると、被係合縁と当接していた係合突起１０８のかかり代が小さくなり、作業者に把持されたケース１０１は、取付基板１０２から脱落するという問題があった。
【００１０】
そこで、本発明は、作業時に、ケースが取付基板から脱落することを防止可能な収納ユニットを提供することを目的とする。
【課題を解決するための手段】
【００１１】
上記目的を達成するためになされた本発明の収納ユニットは、弾性を有する材料からなり、物品を収納すると共に開口した収納空間を形成するケースと、物品が配置される板状の取付基板とを備え、ケース側に形成された係合突起と、取付基板側に形成され、係合突起を係合させる被係合部とからなる取付構造により、取付基板によって収納空間の開口が閉じられた状態となるように、ケースが取付基板に取り付けられるものであり、ケースが、収納空間を挟んで対向し、かつ取付基板への固定時に取付基板に当接する開口縁の一部を形成する対向部位を有しており、取付構造が、対向部位を収納空間に向けて弾性変形させると、係合突起と被係合部との係合が解除される構造に形成されている。
【００１２】
そして、本発明の収納ユニットには、ケースを取付基板に固定した時に、収納空間外で対向部位と対向する位置に配置され、かつ対向部位を遮蔽可能な形状に形成された保護部が備えられている。
【００１３】
このような本発明の収納ユニットでは、ケースを取付基板に固定する場合、作業者は、外側（収納空間外）から収納空間内へと向かう方向（以下、内向方向とする）に沿った力を対向部位に加えて、対向部位を弾性変形させ、被係合部が形成された取付基板の位置まで係合突起を移動させた後、ケースに加えていた内向方向の力を解除し、係合突起を被係合部に固定（係止）する（以下、係合突起が係止される位置を係止位置とする）。
【００１４】
このようにして取付基板にケースが固定された本発明の収納ユニットでは、収納空間外で対向部位と対向する位置に、対向部位を遮蔽する形状の保護部が設けられているため、収納ユニットを取付ボスに固定する等の固定作業等を行う場合、作業者は、従来ユニットのように対向部位ではなく、保護部に指を掛けて収納ユニットを把持することになる。
【００１５】
したがって、本発明の収納ユニットによれば、対向部位に内向方向の力が加わることを防止でき、固定作業等の作業時にケースが取付基板から脱落することを防止できる。
また、本発明の収納ユニットにおける保護部は、請求項２に記載のように、ケース側に一体に設けられたものでも良い。
【００１６】
特に、このような（請求項２に記載のような）収納ユニットでは、請求項３に記載のように、保護部に、ケースが取付基板に固定された際に、取付基板と当接する当接部位から突出する突起が備えられ、取付基板に、ケースの取付基板への固定時に突起を挿嵌可能な挿嵌孔が穿設されているように構成されていることが望ましい。
【００１７】
このように構成された本発明の収納ユニットでは、ケースを取付基板に固定した際に、取付基板に穿設された挿嵌孔に突起が挿嵌されることで、保護部が係止されるため、作業者らによって、内向方向の力が保護部に加えられたとしても、保護部が移動する（言い換えれば、ズレる）ことがない。
【００１８】
したがって、本発明の収納ユニットによれば、内向方向の力が対向部位に作用することをより確実に防止できる。
また、本発明の収納ユニットにおける保護部は、請求項４に記載のように、取付基板側に設けられていても良い。
【００１９】
このような保護部であれば、ケースは、従来の収納ユニットと同様のものを用いることができ、ケース内に物品を収納し、そのケースを取付基板に固定することで収納ユニットを組み立てる際に、手間が大幅に増加することを防止できる。
【００２０】
なお、本発明において、ケース内に収納される物品は、請求項５に記載のように、ＧＰＳ受信アンテナ、ＶＩＣＳ受信アンテナ、ＥＴＣ受信アンテナ、車載電話アンテナのうち、少なくとも一つであっても良く、特に、ＧＰＳ受信アンテナ、ＶＩＣＳ受信アンテナ、ＥＴＣ受信アンテナの全てが収納されることが望ましい。なお、一つのケースに収納された状態のＧＰＳ受信アンテナ、ＶＩＣＳ受信アンテナ、ＥＴＣ受信アンテナを、一般的に統合アンテナと称している。
【００２１】
また、請求項５に記載の収納ユニットにおける取付基板は、請求項６に記載のように、金属材料によって形成されていることことが望ましい。このように形成された収納ユニットによれば、収納空間に収納されたＧＰＳ受信アンテナ、ＶＩＣＳ受信アンテナ、ＥＴＣ受信アンテナ、車載電話アンテナのグランド（接地点）として機能させることができる。
【発明を実施するための最良の形態】
【００２２】
以下に本発明の実施形態を図面と共に説明する。
［第一実施形態］
図１は、本発明が適用された収納ユニットを含む固定ユニットの概略構成を示した斜視図である。
【００２３】
〈全体構成〉
図１に示すように、固定ユニット１は、予め規定された複数のアンテナを収納する収納ユニット５と、収納ユニット５を固定すると共に、インストルメントパネルに予め設けられた取付ボスに固定されるブラケット３０とを備えている。
【００２４】
つまり、固定ユニット１は、複数のアンテナを収納した収納ユニット５をブラケット３０に取り付けることにより、自動車に備えられたインストルメントパネル内に、複数のアンテナを固定するためのものである。
【００２５】
なお、以下では、アンテナが収納された収納ユニット５をアンテナユニット５とも称し、固定ユニット１が取り付けられる可能性のある自動車、即ち、取付ボスが備えられたインストルメントパネルを配設した自動車を搭載車両と称す。
〈収納ユニット〉
次に、収納ユニットについて説明する。
【００２６】
ここで、図３（Ａ）は、収納ユニットの概略構成を示すように、収納ユニットを上方向から斜視した斜視図であり、図３（Ｂ）は、収納ユニットの概略構成を示すように、収納ユニットを下方向から斜視した斜視図である。なお、図中のＸ軸方向に沿った方向を前後方向（Ｘ（＋）側を前方向、Ｘ（−）側を後方向）とし、Ｙ軸方向に沿った方向を左右方向（Ｙ（＋）側を右方向、Ｙ（−）側を左方向）とし、Ｚ軸方向に沿った方向を上下方向（Ｚ（＋）側を上方向、Ｚ（−）側を下方向）とする。
【００２７】
図３（Ａ），（Ｂ）に示すように、収納ユニット５は、複数のアンテナを収納するケース１０と、ケース１０に収納された各種アンテナのアースを取るための取付基板２０とを備えている。その収納ユニット５では、ケース１０と取付基板２０とのそれぞれに備えられた取付構造により、ケース１０が取付基板２０に固定される。
【００２８】
そして、取付構造にて固定された収納ユニット５は、ケース１０側に設けられた係合部１２が、取付基板２０側に設けられた被係合部２２から下方向に突出した状態となる。
なお、ケース１０内に収納されるアンテナとしては、ＧＰＳ（Ｇｌｏｂａｌ  Ｐｏｓｉｔｉｏｎｉｎｇ  Ｓｙｓｔｅｍ）用の人工衛星からの電波を受信するＧＰＳ受信アンテナ、道路交通情報システム（いわゆるＶＩＣＳ）を構成するインフラ設備からの信号を受信するＶＩＣＳ受信アンテナ、ノンストップ自動料金収受システム（いわゆるＥＴＣ）を構成するインフラ設備からの信号を受信するＥＴＣアンテナが挙げられる。そして、本実施形態では、ＧＰＳ受信アンテナ、ＶＩＣＳ受信アンテナ、ＥＴＣアンテナの全てが、予め設定された最適な角度でケース１０内に収納されるものとする。
【００２９】
〈ブラケット〉
次に、ブラケットについて説明する。
ここで、図２は、ブラケットの概略構成を示した斜視図である。
【００３０】
ブラケット３０は、収納ユニット５が載置される載置部３１と、載置部３１に載置された収納ユニット５を保持する保持部３２と、当該ブラケット３０をインストルメントパネルに固定するための固定部３３とを備えている。なお、ブラケット３０は、人が把持した時の力では変形しない程度の剛性を有した樹脂材料により、各部３１，３２，３３が一体に形成されている。
【００３１】
このうち、載置部３１は、前後方向が取付基板２０よりも短い略矩形の板状に形成された部位である。その載置部３１には、一対の平行な端辺（以下、平行端辺とする）に沿って、取付基板２０から下方向に突出した係合部１２を少なくとも嵌め込み可能な一対の溝（以下、ガイド溝とする）３４が設けられている。さらに、載置部３１には、収納ユニット５が載置される面に、断面が三角形状の突起３５が設けられている。
【００３２】
また、保持部３２は、収納ユニット５が載置部３１に固定された際に、取付基板２０を挟持可能な位置に配設された一対の側面部３６Ａ，Ｂと、収納ユニット５が載置部３１に固定された際に、取付基板２０と当接可能な位置に配設された橋部３７とを備えている。
【００３３】
側面部３６Ａ，Ｂは、帯板状の部位であり、一端が平行端辺から突出（以下、この突出した一端を突出端とし、他端を通常端とする）するように平行端辺のそれぞれに延設されている。それらの側面部３６Ａ，Ｂそれぞれの通常端には、載置部３１との間に、取付基板２０を狭持可能な切込みが形成されている。なお、側面部３６Ａ，Ｂそれぞれの通常端において、切込みを有し、側面部３６Ａ，Ｂそれぞれと、載置部３１とによって囲まれた部位を狭持部３８Ａ，Ｂと称す。
【００３４】
さらに、橋部３７は、側面部３６Ａ，Ｂの突出端同士を結ぶように渡された部位であり、載置部３１、側面部３６Ａ，Ｂとの間に、開口（以下、接地口とする）を形成するように配置されている。
【００３５】
また、固定部３３は、板状の第一板材３３Ａと、第二板材３３Ｂとがそれぞれの一辺にて、予め規定された角度の曲げを有して連接されることで形成された一対の部位であり、側面部３６Ａ，Ｂそれぞれから外側（即ち、載置部３１から離れる方向）に向けて突設されている。ただし、第一板材３３Ａそれぞれには、取付ボス７１（図７参照）に固定するための締結具（例えば、ネジや、ボルトなど）８０（図７参照）を挿入かつ固定可能な孔（以下、締結孔とする）３９が穿設されている。
【００３６】
つまり、このようなブラケット３０にアンテナユニット５を固定する場合、その固定作業を行う作業者は、まず、係合部１２をガイド溝３４に嵌め込むようにアンテナユニット５を載置部３１に配置する。そして、その配置されたアンテナユニット５を、取付基板２０が橋部３７と当接するまで、ガイド溝３４に沿って前方向にスライドさせる。これにより、ブラケット３０では、取付基板２０に備えられ後述する固定孔２７に突起３５が挿嵌されると共に、取付基板２０に備えられ後述する耳部（図５参照）が狭持部３８Ａ，Ｂに狭持される。即ち、アンテナユニット５がブラケット３０に係止（固定）されることになる。
【００３７】
ここで、図７は、固定ユニット１が取付ボスに固定された状態を示した説明図である。
上述した固定作業により、ブラケット３０に係止されたアンテナユニット５（即ち、固定ユニット１）は、図７に示すように、インストルメントパネル７０から突出した取付ボス７１に締結具８０を用いて締結される。なお、締結具８０を用いてブラケット３０のみを取付ボス７１に予め締結しておき、上述した固定作業により、取付ボス７１に締結されたブラケット３０にアンテナユニット５を係止しても良い。
【００３８】
これらのように、アンテナユニット５がブラケット３０を介してインストルメントパネル７０に固定された場合、取付基板２０が接地口を通じて搭載車両の他の部材（図示せず）と接触し、ケース１０に収納された全アンテナが接地されることになる。
〈ケース〉
次に、ケースについて説明する。
【００３９】
ここで、図４は、ケースの概略構成を示した斜視図である。
図４に示すように、ケース１０は、ＧＰＳ受信アンテナ、ＶＩＣＳ受信アンテナ、ＥＴＣアンテナ（以下、各種アンテナとも称す）が収納される収納空間を有した本体部１１と、ケース１０を取付基板２０に固定するための係合部１２とを備え、人が把持した時の力で弾性変形する程度の剛性を有した材料（例えば、プラスチック材料等）により一体に形成されている。
【００４０】
このうち、本体部１１は、取付基板２０よりも小さな略矩形形状に形成された板状の天板部１１Ａと、天板部１１Ａの各辺から同一方向に向けて連接され、それぞれ略矩形形状に形成された４つの壁部１１Ｂ〜Ｅとを備えている。なお、以下では、４つの壁部のうちの一つ（本実施形態では、壁部１１Ｅ）を基準壁１１Ｅと称し、基準壁１１Ｅに平行な壁部１１Ｃを固定壁１１Ｃと称す。さらに、基準壁１１Ｅと接し、かつ互いに平行な一対の壁部（本実施形態では、壁部１１Ｂ，壁部１１Ｄ）を、平行壁１１Ｂ，Ｄと称し、基準壁１１Ｅと平行、かつ平行壁１１Ｂ，Ｄと直交する面を基準断面と称す。
【００４１】
また、本体部１１は、平行壁１１Ｂ，Ｄに挟まれるような位置にて、天板部１１Ａ、固定壁１１Ｃ、及び基準壁１１Ｅに連接され、平行壁１１Ｂ，Ｄと平行な一対の壁部１１Ｆ，Ｇを備えている。なお、以下では、壁部１１Ｆ，Ｇを対向壁１１Ｆ，Ｇと称す。
【００４２】
ただし、壁部１１Ｂ〜Ｇのそれぞれは、天板部１１Ａと接する部分から、天板部１１Ａ及び他の壁部に非接触な端辺（以下、開口縁と称す）までの最短距離（以下、側壁長とする）が略均一となるように形成されており、開口縁が略同一平面上に位置することになる。
【００４３】
つまり、本体部１１は、天板部１１Ａ、固定壁１１Ｃ，基準壁１１Ｅ，及び対向壁１１Ｆ，Ｇにて囲まれた領域が収納空間として形成されたものであり、収納空間の外側にて、対向壁１１Ｆ，Ｇと対向し、かつ対向壁１１Ｆ，Ｇを遮蔽する形状に平行壁１１Ｂ，Ｄが形成されている。これと共に、本体部１１では、固定壁１１Ｃ，基準壁１１Ｅ，対向壁１１Ｆ，Ｇの開口縁により、各種アンテナを挿入可能な大きさの開口（以下、収納口とする）が形成されることになる。
【００４４】
さらに、基準壁１１Ｅには、収納空間に収納された各種アンテナで受信した信号を、搭載車両に搭載されている外部機器（例えば、ナビゲーション装置や、ＥＴＣ処理装置等）に伝送するためのケーブル７２（図３参照）を挿通可能な一対の挿通孔１５が形成されている。
【００４５】
また、固定壁１１Ｃには、予め規定された大きさ（以下、規定量）だけ開口縁から突出するように設けられた突起（以下、固定突起とする）１７が備えられ、平行壁１１Ｂ，Ｄそれぞれには、規定量だけ開口縁から突出するように設けられた突起（以下、嵌合突起とする）１６が備えられている。
【００４６】
ところで、係合部１２は、対向壁１１Ｆ，Ｇそれぞれの開口縁から突設された挿入片１８と、対向壁１１Ｆ，１１Ｇそれぞれに設けられた支持部１３と、支持部１３から突設された係合突起１４とを備えている。
【００４７】
このうち、挿入片１８は、規定量よりも大きな突出量で開口縁から突出するように設けられたものであり、先端に傾斜が設けられている。即ち、これらの挿入片１８は、ケース１０を取付基板２０に組み付ける際に、先端に設けられた傾斜が係合突起１４を被係合部へと導くための導入部として機能するように構成されている。
【００４８】
支持部１３は、各突出片１８を挟む対向壁１１Ｆ，Ｇそれぞれでの位置（以下、指定位置とする）に設けられており、対向壁１１Ｆ，Ｇの一部の部位（以下、壁部位とする）と、挿入片１８よりも小さく、かつ規定量よりも大きな突出量で、壁部位それぞれの開口縁側から突出した部位（以下、突出部位とする）とが連続して形成された部位である。なお、壁部位は、開口縁と直交するような一対の切り込みを、指定位置にて開口縁から対向壁１１Ｆ，Ｇに入れることで形成されている。
【００４９】
さらに、係合突起１４は、支持部１３の先端部分（より正確には、突出部位の先端）に、収納空間内から収納空間外部へと向かう方向（即ち、対向壁１１Ｆから平行壁１１Ｂ、対向壁１１Ｇから平行壁１１Ｄへと向かう方向）に沿って突出するように設けられている。ただし、係合突起１４は、基準断面にて切断した断面形状が、長方形の１つの頂点を三角形状に切り落とした台形形状に形成されている。
【００５０】
つまり、係合部１２は、互いに対向する支持部１３それぞれから収納空間内から収納空間外へと向かう方向に沿って、係合突起１４が突設されたものであり、支持部１３と係合突起１４とにより、いわゆるスナップフィットを形成したものである。
〈取付基板〉
次に、取付基板について説明する。
【００５１】
ここで、図５は、取付基板の概略構成を示した斜視図である。
図５に示すように、取付基板２０は、金属材料により形成された部材であり、ケース１０が取付基板２０に固定された際に、ケース１０に収納されたアンテナを接地する基準部２１と、ケース１０が取付基板２０に固定された際に、係合部１２が係合される被係合部２２とを備えている。
【００５２】
このうち、基準部２１は、ケース１０の天板部１１Ａでの各辺よりも長い辺を有した略矩形形状、かつ規定量の厚み（即ち、上下方向の幅）を有した板状に形成された平面部２３と、アンテナユニット５がブラケット３０に係止される時に狭持部３８Ａ、Ｂに狭持される耳部２４とを備えている。
【００５３】
なお、平面部２３には、ケース１０を取付基板２０に固定する際にケース１０を予め規定された規定位置に導くための導入孔２５と、アンテナユニット５をブラケット３０に固定するための固定孔２７とが穿設されている。さらに、平面部２３には、ケース１０を固定する際に、固定壁１１Ｃを固定するための挿入孔２９、及び平行壁１１Ｂ，Ｄそれぞれを固定するための嵌合孔２８が穿設されている。
【００５４】
ただし、導入孔２５は、ケース１０を取付基板２０に当接する際に挿入片１８それぞれの先端が当接する位置に、挿入片１８を挿入可能な形状に設けられ、固定孔２７は、アンテナユニット５をブラケット３０に固定する際に突起３５を挿嵌可能な位置に、突起３５を係止可能な形状に設けられている。また、挿入孔２９は、ケース１０を取付基板２０に固定する際に固定突起１７と当接する位置に、固定突起１７を挿嵌可能な形状に設けられ、嵌合孔２８は、嵌合突起１６それぞれと当接する位置に、嵌合突起１６を挿嵌可能な形状に設けられている。
【００５５】
さらに、耳部２４は、平面部２３における一対の平行な辺（以下、対向辺とする）から外側に突設された一対の矩形形状の部位であり、一辺が対向辺と直交する平面部２３の一辺（以下、基準辺とする）と連続するように設けられている。
【００５６】
一方、被係合部２２は、平面部２３に穿設された一つの孔（以下、被係合孔とする）２６を有した平面部２３の部位であり、ケース１０に設けられた係合突起１４の数だけ設けられている。
【００５７】
その被係合孔２６は、ケース１０を固定する際に係合突起１４それぞれと当接する各位置に、各係合突起１４を挿嵌可能な形状に平面部２３を貫通して設けられたものである。
つまり、ケース１０に形成された係合部１２（即ち、スナップフィット）と、取付基板２０に形成された被係合部２２とにより、ケース１０を取付基板２０に固定するための取付構造を構成している。
〈アンテナユニットの固定方法〉
次に、各種アンテナを収納したケース１０を取付基板２０に固定する取付方法について説明する。
【００５８】
ＧＰＳ受信アンテナ、ＶＩＣＳ受信アンテナ、ＥＴＣアンテナを収納したケース１０を取付基板２０に固定する場合、作業者は、まず、ケース１０の挿入片１８を取付基板２０の導入孔２５の縁に当接させる。この時、対向壁１１Ｆ，Ｇに設けられた各係合突起１４は、被係合孔２６それぞれと相対する位置に配置される（以下、この状態を第一状態とする）。
【００５９】
そして、第一状態からケース１０を取付基板２０に固定した状態とするために、作業者は、挿入片１８が導入孔２５に挿入されるように、さらに、ケース１０を取付基板２０に押し付ける。すると、各係合部１２の導入部が、被係合孔２６それぞれの縁に沿って移動し、その移動に伴って、各支持部１３が、収納空間外から収納空間内へと向かう方向（以下、内向方向とする）に弾性変形する、即ち、各係合部１２が撓むことになる（以下、この状態を第二状態とする）。
【００６０】
この第二状態からケース１０を取付基板２０に固定した状態とするために、作業者がケース１０を取付基板２０に押し付けると、各係合突起１４が被係合孔２６に挿入されることになる。この時、ケース１０に加えられていた内向方向の力が解除され、ケース１０が取付基板２０に固定する前（即ち、弾性変形する前）の形状に戻ることになる。
【００６１】
ここで、図６（Ａ）は、図３（Ａ）におけるＡ−Ａ断面図であり、図６（Ｂ）は、図６（Ａ）中の円Ｂにて囲まれた領域を拡大した拡大図である。
ケース１０が弾性変形する前の形状に戻ることで、図６に示すように、各被係合孔２６に挿入された係合突起１４それぞれが被係合部２２と当接（係合）し、ケース１０の収納口を閉じるように、ケース１０が取付基板２０に係止（固定）された状態となる。
【００６２】
このように、取付基板２０にケース１０が固定された状態となると、対向壁１１Ｆ，Ｇの外側に（即ち、左右方向に広がる方向に沿って）平行壁１１Ｂ，Ｄが配置され、平行壁１１Ｂ，Ｄに設けられた各嵌合突起１６は、取付基板２０に設けられた嵌合孔２８に挿入される。また、固定壁１１Ｃに設けられた固定突起１７は、取付基板２０に設けられた挿入孔２９に挿入される。
【００６３】
よって、ケース１０が取付基板２０に固定された収納ユニット５では、そのアンテナユニット５をブラケット３０に固定する場合や、上述した固定作業によりアンテナユニット５が固定されたブラケット３０（即ち、固定ユニット１）を取付ボス７１に取り付ける場合には、対向壁１１Ｆ，Ｇではなく、平行壁１１Ｂ，Ｄに指を掛けて持たれること（例えば、平行壁１１Ｂ，Ｄ間を挟むように持つ方法）が多くなる。
【００６４】
つまり、本実施形態の収納ユニット５では、対向壁１１Ｆ，Ｇが天板部１１Ａ、固定壁１１Ｃ、及び基準壁１１Ｅを介して平行壁１１Ｂ，Ｄに接続されているため、作業時に、収納空間外から収納空間内へと向かう方向（以下、内向方向とする）に沿った力が、平行壁１１Ｂ，Ｄに加えられたとしても、対向壁１１Ｆ，Ｇが弾性変形することが無い。
【００６５】
なお、本実施形態の収納ユニット５においては、ケース１０に設けられた平行壁１１Ｂ，Ｄそれぞれが本発明の保護部として機能することになる。
［第一実施形態の効果］
以上、説明したように、本実施形態の収納ユニット５によれば、対向壁１１Ｆ，Ｇに内向方向の力が加わることを防止することにより、固定作業等の作業時にケース１０が取付基板２０から脱落することを防止できる。
【００６６】
特に、本実施形態の収納ユニット５によれば、ケース１０を取付基板２０に固定した際には、各嵌合突起１６が嵌合孔２８に挿入され係合するため、内向方向の力が平行壁１１Ｂ，Ｄに加えられたとしても、それらの平行壁１１Ｂ，Ｄが移動することがない。したがって、対向壁１１Ｆ，Ｇに内向方向の力が加わることをより確実に防止できる。
【００６７】
また、本実施形態の収納ユニット５によれば、ケース１０を取付基板２０に固定した際、固定突起１７が挿入孔２９に挿入され係合されるため、作業時のケース１０に内向方向以外の力（例えば、前方向から後方向へと向かう方向の力）が加えられたとしても、固定壁１１Ｃが移動することを防止できる。この結果、収納ユニット５に収納された各種アンテナをより確実に保護することができる。
【００６８】
なお、本実施形態の収納ユニット５によれば、ケース１０を取付基板２０に固定する際に、挿入片１８を導入孔２５の縁に当接させることで、ケース１０を固定する位置を決定できる。したがって、本実施形態の収納ユニット５によれば、位置決めされたケース１０を、挿入片１８が導入孔２５に挿入されるように取付基板２０に押し付けるだけで、ケース１０を取付基板２０に固定できる。
【００６９】
つまり、本実施形態の収納ユニット５によれば、ケース１０を取付基板２０に容易に固定することができる。
［第二実施形態］
次に、本発明の第二実施形態について説明する。
【００７０】
第一実施形態に示した固定ユニット１と、第二実施形態における固定ユニットとでは、収納ユニットを構成するケース、及び取付基板の構造が異なるのみである。このため、第一実施形態に示した固定ユニット１と同様の構成には、同一な符号を付して説明を省略し、第一実施形態とは異なるケース、及び取付基板の構造を中心に説明する。
【００７１】
ここで、図８は、第二実施形態における固定ユニットの概略構成を示した斜視図である。
固定ユニット２は、アンテナを収納するケース５０、及びケース５０に収納されたアンテナを接地可能な取付基板６０を有した収納ユニット５と、ブラケット３０とを備えている。
〈ケース〉
次に、第二実施形態におけるケースについて説明する。
【００７２】
ここで、図９は、第二実施形態におけるケースの概略構成を示した斜視図（図９（Ａ）は、上方向から斜視した図面であり、図９（Ｂ）は、下方向から斜視した図面）である。
ケース５０は、各種アンテナが収納される収納空間を形成する本体部５１と、ケース５０を取付基板６０に固定するための係合部５２とを備え、人が把持した時の力で弾性変形する程度の剛性を有した材料（例えば、プラスチック材料等）により一体に形成されている。
【００７３】
このうち、本体部５１は、取付基板６０よりも小さな略矩形形状に形成された板状の天板部５１Ａと、天板部５１Ａの各辺から同一方向に向けて連接され、それぞれ略矩形形状に形成された４つの壁部５１Ｂ〜Ｅとを備えている。なお、壁部５１Ｂ〜Ｅのそれぞれは、側壁長が略均一となるように形成されており、開口縁が略同一平面上に位置することになる。
【００７４】
つまり、本体部５１は、天板部５１Ａ及び４つの壁部５１Ｂ〜５１Ｅにて囲まれた領域が収納空間として形成されると共に、壁部５１Ｂ〜５１Ｅの開口縁に各種アンテナを挿入可能な大きさの開口（以下、収納口とする）が形成されたものである。
【００７５】
なお、本実施形態では、４つの壁部のうちの一つの壁部５１Ｅを基準壁５１Ｅと称し、基準壁５１Ｅに平行な壁部５１Ｃを固定壁５１Ｃと称す。さらに、基準壁５１Ｅと接し、かつ互いに平行な一対の壁部（本実施形態では、壁部５１Ｂ，壁部５１Ｄ）を、対向壁５１Ｂ，Ｄと称し、基準壁５１Ｅと平行、かつ対向壁５１Ｂ，Ｄと直交する面を基準断面と称す。
【００７６】
そして、基準壁５１Ｅには、挿通孔１５が形成されており、固定壁５１Ｃには、固定突起１７が備えられている。これらと共に、対向壁５１Ｂ，Ｄそれぞれには、一つの挿入片１８が備えられている。
【００７７】
ところで、係合部５２は、対向壁５１Ｂ，Ｄそれぞれに設けられた支持部１３と、支持部５３から突設された係合突起１４とを備えている。
なお、係合部５２は、その係合部５２が設けられた部位が対向壁５１Ｂ，Ｄであることを除けば、第一実施形態における係合部１２と同様の構成であるため、ここでの説明は省略する。
【００７８】
つまり、本実施形態においては、対向壁５１Ｂ，Ｄが本発明における対向部位となる。
〈取付基板〉
次に、取付基板６０について説明する。
【００７９】
ここで、図１０は、第二実施形態における取付基板の概略構成を示した斜視図（図１０（Ａ）は、上方向から斜視した図面であり、図１０（Ｂ）は、下方向から斜視した図面）である。
【００８０】
取付基板６０は、人が把持した時に変形しない程度の剛性を有した金属材料により形成された部材であり、ケース５０が取付基板６０に固定された際に、ケース５０に収納されたアンテナを接地する基準部６１と、ケース５０が取付基板６０に固定された際に、係合部５２それぞれが係合される被係合部６２と、ケース５０が取付基板６０に固定された際にケースが位置する方向（以下、規定方向とする）に基準部６１から突出した突出片６３とを備えている。
【００８１】
このうち、基準部６１は、嵌合孔２８が穿設されていないことを除けば、第一実施形態の基準部２１と同様に構成されているため、ここでの説明を省略する。
そして、各被係合部６２は、一つの被係合孔２６を有した平面部２３の一部の部位であり、その被係合孔２６は、ケース５０を固定する際に、係合部５２の係合突起１４それぞれと当接する位置に、各係合部５２の係合突起１４を挿嵌可能な形状に平面部２３を貫通して設けられたものである。
【００８２】
つまり、ケース５０に形成された係合部５２（即ち、スナップフィット）と、取付基板６０に形成された被係合部６２とにより、ケース５０を取付基板６０に固定するための取付構造を構成している。
【００８３】
ところで、突出片６３は、ケース５０を取付基板６０に固定した時に、収納空間外で対向壁５１Ｂ，Ｄそれぞれと対向する位置にて、対向壁５１Ｂ，Ｄそれぞれの外側を遮蔽可能な帯板状の部位である。
【００８４】
なお、収納空間外で対向壁５１Ｂ，Ｄそれぞれと対向する位置とは、ケース５０を取付基板６０に固定した時に、突出片６３と対向壁５１Ｂ，Ｄとの間に作業者の指が入らない程度（例えば、５ｍｍから１０ｍｍ程度）の間隔を有した位置である。以下、各突出片６３が突出する一筋の位置を突出位置と称す。
【００８５】
具体的に、本実施形態では、各突出片６３は、一対の対向する前後方向の辺の長さが、対向壁５１Ｂ，Ｄそれぞれと略同じ長さであり、上下方向の辺の長さが、取付基板６０に固定されたケース５０の規定方向に突出した支持部１３よりも長い矩形形状に形成されている。
【００８６】
なお、各突出片６３を形成するために、以下の手順がとられる。
即ち、突出位置それぞれにて平面部２３と接続を維持し、かつ対向辺との間に平面部２３の一部の部位が残るように、各突出位置から対向辺へと向かう方向に沿って、略「コ」の字型の切り込みをプレス加工によって平面部２３に施す。そして、その切り込みが施された部位に、突出位置を支点とした曲げ加工を施すことで、規定方向に突出させ、突出片６３として形成する。
【００８７】
次に、ケース５０を取付基板６０に固定した状態について説明する。
ここで、図１１は、ケース５０が取付基板６０に固定された状態を示した斜視図（図１１（Ａ）は、上方向から斜視した図面であり、図１１（Ｂ）は、下方向から斜視した図面）である。
【００８８】
なお、ケース５０を取付基板６０に固定する固定方法は、第一実施形態と同様であるため、ここでの説明は省略する。
ケース５０が取付基板６０に固定された状態となると、各突出片６３が収納空間の外側にて対向壁５１Ｂ，Ｄに対向して位置し、その突出片６３それぞれにより、ケース５０に設けられた係合部５２を遮蔽することになる。この時、対向壁５１Ｂ，Ｄそれぞれと各突出片６３との間の間隔は、作業者の指が入らない程度の間隔となる。
【００８９】
よって、取付基板６０に固定されたケース５０では、アンテナユニット５をブラケット３０に固定する場合や、上述した固定作業により、アンテナユニット５が固定されたブラケット３０（即ち、固定ユニット２）を取付ボス７１に取り付ける場合には、対向壁５１Ｂ，Ｄでは無く、突出片６３に指を掛けて持たれること（例えば、突出片６３間を挟むように持つ方法）が多くなる。
【００９０】
つまり、本実施形態の収納ユニット５では、取付基板２０側に設けられた突出片６３に指を掛けて持たれるため、内向方向の力が突出片６３に加えられたとしても、対向壁５１Ｂ，Ｄが弾性変形することが無い。
【００９１】
なお、本実施形態の収納ユニット５においては、取付基板６０に設けられた突出片６３それぞれが本発明の保護部として機能することになる。
［第二実施形態の効果］
以上、説明したように本実施形態の固定ユニット２によれば、対向壁５１Ｂ，Ｄに内向方向の力が加わることを防止でき、この結果、固定作業等の作業時にケース５０が取付基板６０から脱落することを防止できる。
【００９２】
特に、本実施形態の収納ユニット５において、従来ユニットと同様のケースを用いれば、収納ユニット５を製造するための製造コストや、ケース５０を取付基板６０に固定するための固定作業の工程数が大幅に増加することを抑制することができる。
［その他の実施形態］
以上、本発明の実施形態について説明したが、本発明は上記実施形態に限定されるものではなく、本発明の要旨を逸脱しない範囲において様々な態様にて実施することが可能である。
【００９３】
そして、上記実施形態（第一実施形態、及び第二実施形態の両方）では、ケース１０（５０）に対向壁１１Ｆ，Ｇ（５１Ｂ，Ｄ）のそれぞれに、２つずつ係合部１２（５２）を設けたが、対向壁１１Ｆ，Ｇ（５１Ｂ，Ｄ）それぞれに形成される係合部１２（５２）の数は、２つずつに限るものではなく、例えば、一つずつでも良いし、２以上の数でも良い。つまり、対向壁１１Ｆ，Ｇ（５１Ｂ，Ｄ）それぞれに形成される係合部１２（５２）の数は、一つ以上であればいくつでも良い。ただし、取付基板２０（６０）には、係合部１２（５２）に応じて被係合部２２（６３）が設けられている必要がある。
【００９４】
なお、上記実施形態における取付構造は、取付基板２０（６０）に穿設されたされた孔に係合部１２（５２）を通過させて、係合突起１４を被係合部２２（６３）に係止する、いわゆるスナップフィット構造であったが、取付構造はこれに限るものではなく、内向方向の力が加えられると、ケースと取付基板との固定状態が解除されるものであれば、どのようなものでも良い。
【００９５】
また、第一実施形態におけるケース１０では、平行壁１１Ｂ，Ｄを、天板部１１Ａ、固定壁１１Ｃ、及び基準壁１１Ｅの全てに連接するように形成していたが、ケース１０は、必ずしもこのように設けられていなくとも良い。例えば、ケース１０は、平行壁１１Ｂ，Ｄが天板部１１Ａにのみ連接すると共に、固定壁１１Ｃ、及び基準壁１１Ｅの端側にて対向壁１１Ｆ，Ｇと連接するように形成しても良いし、平行壁１１Ｂ，Ｄが固定壁１１Ｃ、及び基準壁１１Ｅに連接すると共に、天板部１１Ａの端側にて対向壁１１Ｆ，Ｇと連接するように形成しても良い。ただし、後者の場合、平行壁１１Ｂ，Ｄと対向壁１１Ｆ，Ｇとの間の間隔は、平行壁１１Ｂ，Ｄに力が加えられた時に対向壁１１Ｆ，Ｇが影響を受けない程度の間隔（第二実施形態において、ケース５０が取付基板６０に固定された際に、突出片６３と対向壁５１Ｂ，Ｄとが位置する間隔と同程度）とする必要がある。
【００９６】
さらに、第二実施形態における取付基板６０では、取付基板６０に固定されたケース５０の対向壁５１Ｂ，Ｄ全体を、対向壁５１Ｂ，Ｄの外側から遮蔽するような形状に突出片６３を形成したが、突出片６３は、このような形状に限るものではなく、取付基板６０に固定されたケース５０の係合部５２が位置する部分それぞれを遮蔽する形状に形成されていても良い。ただし、この場合、係合部５２の数に応じて突出片６３を設ける必要がある。
【００９７】
また、上記実施形態では、ケース１０（５０）は、ＧＰＳ受信アンテナ、ＶＩＣＳ受信アンテナ、ＥＴＣ受信アンテナの全てを収納可能なように形成されていたが、ＧＰＳ受信アンテナ、ＶＩＣＳ受信アンテナ、ＥＴＣ受信アンテナのいずれか一つが収納可能なように形成されていても良い。
【００９８】
そして、ケース１０（５０）は、ＧＰＳ受信アンテナ、ＶＩＣＳ受信アンテナ、ＥＴＣ受信アンテナの少なくとも一つに加えて、車載電話網との間で電波を送受信するためのダイポールアンテナ（即ち、車載電話用アンテナ）を収納可能なように形成してものでも良い。特に、第一実施形態のケース１０であれば、対向壁１１Ｆ，Ｇと平行壁１１Ｂ，Ｄとに挟まれた領域にダイポールアンテナを収納することで、ケース１０の大きさを維持しつつ、車載電話用アンテナを追加することができる。
【００９９】
さらに、ケース１０（５０）は、アンテナ以外の物品を収納可能なように形成しても良い。
【図面の簡単な説明】
【０１００】
【図１】第一実施形態における固定ユニットの概略構成を示した斜視図である。
【図２】ブラケットの概略構成を示した斜視図である。
【図３】第一実施形態における収納ユニットの概略構成を示した斜視図である。
【図４】第一実施形態におけるケースの概略構成を示した斜視図である。
【図５】第一実施形態における取付基板の概略構成を示した斜視図である。
【図６】第一実施形態における収納ユニットの断面図である。
【図７】固定ユニットを取付ボスに固定した状態を示した説明図である。
【図８】第二実施形態における固定ユニットの概略構成を示した斜視図である。
【図９】第二実施形態におけるケースの概略構成を示した斜視図である。
【図１０】第二実施形態における取付基板の概略構成を示した斜視図である。
【図１１】第二実施形態における収納ユニットの概略構成を示した斜視図である。
【図１２】従来の固定ユニットを示した斜視図である。
【図１３】従来の収納ユニットの断面を拡大した拡大図である。
【符号の説明】
【０１０１】
１，２…固定ユニット  ５…収納ユニット  １０，５０…ケース  １１…本体部  １１Ａ，５１Ａ…天板部  １１Ｂ〜Ｇ，５１Ｂ〜５１Ｅ…壁部（１１Ｂ，Ｄ…平行壁、１１Ｃ，５１Ｃ…固定壁、１１Ｅ，５１Ｅ…基準壁、１１Ｆ，Ｇ，５１Ｂ，Ｄ…対向壁）  １２，５２…係合部  １３…支持部  １４…係合突起  １５…挿通孔  １６…嵌合突起  １７…固定突起  １８…挿入片  ２０，６０…取付基板  ２１，６１…基準部  ２２，６３…被係合部  ２３…平面部  ２４…耳部  ２５…導入孔  ２６…被係合孔  ２７…固定孔  ２８…嵌合孔  ２９…挿入孔  ３０…ブラケット  ３１…載置部  ３２…保持部  ３３…固定部  ３４…ガイド溝  ３５…突起  ３６Ａ，Ｂ…側面部  ３７…橋部  ３８Ａ，Ｂ…狭持部  ６３…突出片  ７０…インストルメントパネル  ７１…取付ボス  ８０…締結具
【図１】
0004924358.tif 000002
【図２】
0004924358.tif 000003
【図３】
0004924358.tif 000004
【図４】
0004924358.tif 000005
【図５】
0004924358.tif 000006
【図６】
0004924358.tif 000007
【図７】
0004924358.tif 000008
【図８】
0004924358.tif 000009
【図９】
0004924358.tif 000010
【図１０】
0004924358.tif 000011
【図１１】
0004924358.tif 000012
【図１２】
0004924358.tif 000013
【図１３】
0004924358.tif 000014